(57)【要約】【課題】玉葱、馬鈴薯等の根菜類を収穫する際のコンベア上で収穫物に傷をつきにくくする収穫機を提供することを目的とする。【解決手段】搬送コンベア２０は、搬送幅方向に設置されるコンベアバーＢ及びコンベアバーＡが搬送コンベア２０の進行方向に交互に設置され、コンベアバーＢは直線上面部７４ａを有し、コンベアバーＡは、コンベアバーＢの直線上面部７４ａより低い位置に第一の直線上面部７３´ａと第二の直線上面部８１ａを有し、第二の直線上面部８１ａはガイド４０により収穫物２０１がガイドされる範囲に存在し、第一の直線上面部７３´ａより一段高くなっていることにより上記課題を解決する。【選択図】図１
2010000062.tif 000002
【特許請求の範囲】
【請求項１】
収穫物を搬送する搬送コンベアと、当該搬送コンベアによる搬送幅を収穫物に当接させて狭めるためのガイドとを有する収穫機において、
前記搬送コンベアは、搬送幅方向に設置される第一のコンベアバー及び第二のコンベアバーが搬送コンベアの進行方向に交互に設置され、
前記第一のコンベアバーは直線上面部を有し、
前記第二のコンベアバーは、前記第一のコンベアバーの直線上面部より低い位置に第一の直線上面部と第二の直線上面部を有し、
前記第二の直線上面部は前記ガイドにより収穫物がガイドされる範囲に存在し、前記第一の直線上面部より一段高くなっていることを特徴とする収穫機。
【請求項２】
請求項１に記載の収穫機において、
前記第二のコンベアバーの前記第二の直線上面部は、前記第一の直線上面部の延長上に棒材を平行に接合することにより形成されていることを特徴とする収穫機。
【請求項３】
請求項１に記載の収穫機において、
前記第二のコンベアバーは、前記第一の直線上面部と前記第二の直線上面部の間に段部を設けることで曲げ加工により形成されていることを特徴とする収穫機。
【請求項４】
収穫物を搬送する搬送コンベアと、当該搬送コンベアによる搬送幅を収穫物に当接させて狭めるためのガイドとを有する収穫機において、
前記搬送コンベアは、搬送幅方向に設置される第一のコンベアバー及び第二のコンベアバーが搬送コンベアの進行方向に交互に設置され、
前記第一のコンベアバーは直線上面部を有し、
前記第二のコンベアバーは、前記第一のコンベアバーの直線上面部より低い位置に第一の直線上面部と第一の直線上面部に向けて下る方向に傾斜する傾斜上面部を有し、
前記傾斜上面部は前記ガイドにより収穫物がガイドされる範囲に存在していることを特徴とする収穫機。
【発明の詳細な説明】
【技術分野】
【０００１】
本発明は、収穫機に関し、特に、玉葱、馬鈴薯等の根菜類を収穫する際のコンベア上で収穫物に傷をつきにくくする収穫機に関する。
【背景技術】
【０００２】
図５は、従来の収穫機の側面図であり、図６は従来の収穫機の平面図である。図で示された収穫機は、クローラー１０が回転することにより前進ながら、まず、玉葱、馬鈴薯等の根菜類の収穫物は、搬送コンベア２０の先端部に設けられたかき込みコンベア３０により取り込まれる。かき込みコンベア３０は、かき込みコンベアゴム３１が図５の矢印の方向に回転することで収穫物を搬送コンベア２０上へ載せられる。そして、搬送コンベア２０上に載った収穫物は、搬送コンベア２０に搬送されて（図５の矢印の方向）一定角で上に上がっていき、その後、搬送コンベア２０の後部に設けられたスクリーン５１を介して、収納容器であるコンテナ５２に収納される構成となっている。作業者は、操作部５６で操作し、必要に応じステップ５５やイス５４で別の作業者が作業を行えるようになっている。また、コンテナを数多く載せたい場合はコンテナ台５３が設けられる。
【０００３】
搬送コンベア２０上に載った収穫物を搬送コンベア２０に搬送される場合、ガイド４０により、かき込みコンベア３０側の収穫幅より狭い幅にして、スクリーン５１へ送られる。これによりコンテナ５２への収納を容易なものとすることができる。ガイド４０は、搬送コンベア２０による搬送幅が前方（かき込みコンベア３０側）では広く、後方（コンテナ５２側）では狭くするように斜めに設けられている。
【０００４】
一方、図７は従来の収穫機の搬送コンベア部平面図である。図８は、従来の収穫機の搬送コンベア部要部拡大側面図である。図９は、従来の収穫機のコンベアバーＡを示す図であり、図１０は従来の収穫機のコンベアバーＢを示す図である。
【０００５】
搬送コンベア２０は、コンベアチェーン２１が両側に設けられその間にコンベアバーＡとコンベアバーＢが交互に取り付けられている。コンベアバーＡは、図９に示されるように、両端に取付部７１を有し、そして、その内側には同じ段部７２を両側に有しているため直線部７３が低くなる構成となっている。一方、コンベアバーＢは、両端に取付部７１を有し内側は直線部のみの全体直線部７４で形成されている。このため、図８で示されるように、コンベアバーＢの全体直線部７４に対して、その間にあるコンベアバーＡの直線部７３が低くなっている。これにより、収穫物２０１の搬送は、図７に示されるように、コンベアバーＢの間に収穫物２０１が位置して搬送されることになる。ガイド４０は、収穫物２０１の中程に当接するように設けられている。
【０００６】
また、特許文献１には、搬送収穫物のいも類を中央部に寄せるように案内する左右一対の中央寄せ案内板を設けている農作物収穫機が記載されている。
【特許文献１】特開平７−１０７８２８号公報
【発明の開示】
【発明が解決しようとする課題】
【０００７】
しかし、図５〜図１０に示した従来の収穫機においては、搬送コンベア２０で、収穫物２０１を搬送する際に、収穫物２０１がガイド４０に当接するとき、ガイド４０や収穫物２０１の後ろ側のコンベアバーＢに強く接触して傷がつきやすく、せっかくの収穫物を傷めてしまう原因となっていた。
【０００８】
また、特許文献１に記載の発明も上記の課題を解決するものではない。
【０００９】
そこで、本発明は、上記課題に鑑みて、玉葱、馬鈴薯等の根菜類を収穫する際のコンベア上で収穫物に傷をつきにくくする収穫機を提供することを目的とする。
【課題を解決するための手段】
【００１０】
本発明の収穫機は、収穫物を搬送する搬送コンベアと、当該搬送コンベアによる搬送幅を収穫物に当接させて狭めるためのガイドとを有する収穫機において、前記搬送コンベアは、搬送幅方向に設置される第一のコンベアバー及び第二のコンベアバーが搬送コンベアの進行方向に交互に設置され、前記第一のコンベアバーは直線上面部を有し、前記第二のコンベアバーは、前記第一のコンベアバーの直線上面部より低い位置に第一の直線上面部と第二の直線上面部を有し、前記第二の直線上面部は前記ガイドにより収穫物がガイドされる範囲に存在し、前記第一の直線上面部より一段高くなっていることを特徴とする。
【００１１】
さらに、本発明の収穫機は、前記第二のコンベアバーの前記第二の直線上面部は、前記第一の直線上面部の延長上に棒材を平行に接合することにより形成されていることを特徴とする。
さらに、本発明の収穫機は、前記第二のコンベアバーは、前記第一の直線上面部と前記第二の直線上面部の間に段部を設けることで曲げ加工により形成されていることを特徴とする。
【００１２】
また、本発明の収穫機は、収穫物を搬送する搬送コンベアと、当該搬送コンベアによる搬送幅を収穫物に当接させて狭めるためのガイドとを有する収穫機において、前記搬送コンベアは、搬送幅方向に設置される第一のコンベアバー及び第二のコンベアバーが搬送コンベアの進行方向に交互に設置され、前記第一のコンベアバーは直線上面部を有し、前記第二のコンベアバーは、前記第一のコンベアバーの直線上面部より低い位置に第一の直線上面部と第一の直線上面部に向けて下る方向に傾斜する傾斜上面部を有し、前記傾斜上面部は前記ガイドにより収穫物がガイドされる範囲に存在していることを特徴とする。
【発明の効果】
【００１３】
本発明によれば、収穫機において、玉葱、馬鈴薯等の根菜類を収穫する際のコンベア上で収穫物に傷をつきにくくすることができる。
【発明を実施するための最良の形態】
【００１４】
本発明を実施するための最良の形態を説明する。下記の各実施例は、図５〜１０の従来例と異なる点について述べる。同一の箇所は同一の符号を付してある。
【実施例１】
【００１５】
図１は、実施例１のコンベアバーＡを示す図である。実施例１では、図５〜１０の従来例とは、コンベアバーＡが異なる。実施例１のコンベアバーＡは、両端に取付部７１を有し、そして、取付部７１の近傍の内側にはそれぞれ同じ段部７２を両側に有している。それにより、段部７２の内側の直線部７３が低くなる構成となっている。この直線部７３の（延長上となる）ガイド４０側に、棒材である丸棒８１を平行に溶接等で接合して、ガイド４０側を一段高くする構成となっている。
【００１６】
コンベアバーＡの直線部７３の上面部７３´ａと丸棒８１の上面部８１ａは、コンベアバーＢの全体直線部７４の上面部７４ａより低くなっているが、丸棒８１の上面部８１ａは直線部７３の上面部７３´ａより一段高くなる構成となっている。そして、コンベアバーＡの直線部７３の上面部７３´ａに対するコンベアバーＢの全体直線部７４の上面部７４ａの高さは従来例と同じである。
【００１７】
このため、丸棒８１が接合された部分は、搬送物２０１の座りを不安定にし、また、搬送物２０１のガイド４０にあたる高さを相対的に低くしよせやすくしている。このことにより、搬送物である収穫物２０１の傷をつけにくくしている。そして、コンベアバーＡの直線部７３に対するコンベアバーＢの全体直線部７４の高さは従来例と同じであるので、この部分では確実な搬送がなされる。
【００１８】
図２は、実施例１のコンベアバーＡを設置した搬送コンベア部平面図である。丸棒８１が接合される範囲について説明する。丸棒８１が接合される範囲はガイド４０が収穫物２０１をガイドする範囲である。また、丸棒８１が接合される範囲をガイド４０が収穫物２０１をガイドされる範囲（図２の下側）から収穫物が寄せられるガイドの最終端４０ａよりα分ガイドされる側まで延ばしてもよい。αは、ガイドの最終端においても収穫物１つが丸棒８１の上面部８１ａに載るように設定される。例えば、たまねぎであれば、一例としてαの値が１０〜１５ｃｍの範囲があげられる。この場合は確実にガイドの最後まで座りを不安定な収穫物が１つは存在することになり傷がつきにくくなる。
【００１９】
実施例１では、図９で示した従来例のコンベアバーＡに丸棒８１を接合するので、従来例のコンベアバーＡを使用し後付加工により本発明を実現可能となる。
【実施例２】
【００２０】
図３は、実施例２のコンベアバーＡを示す図である。実施例２も図５〜１０の従来例とは、コンベアバーＡが異なる。実施例２のコンベアバーＡは、両端に取付部７１を有している。そして、ガイド４０の反対側の取付部７１の近傍の内側には段部７２を、ガイド４０側の取付部７１の近傍の内側には段部７２より小さい段部となるガイド側段部９１を有している。さらに、段部７２の内側には第二直線部９４とガイド側段部９１の内側には第一直線部９２とそれぞれつながっており第一直線部９２と第二直線部９４の間には、中間段部９３を有している。このことにより、第一直線部９２は、第二直線部９４より一段高くなっている。第一直線部９２の範囲は実施例１で説明した丸棒８１が接合される範囲と同様である。
【００２１】
コンベアバーＡの第一直線部９２の上面部９２ａと第二直線部９４の上面部９４ａは、コンベアバーＢの全体直線部７４の上面部７４ａより低くなっているが、第一直線部９２の上面部９２ａは第二直線部９４の上面部９４ａより一段高くなる構成となっている。そして、コンベアバーＡの第二直線部９４の上面部９４ａに対するコンベアバーＢの全体直線部７４の上面部７４ａの高さは従来例と同じである。
【００２２】
このため、第一直線部９２の位置を高くした部分は、搬送物２０１の座りを不安定にし、また、搬送物２０１のガイド４０にあたる高さを相対的に低くし寄せやすくしている。このことにより、搬送物２０１の傷をつけにくくしている。そして、コンベアバーＡの第二直線部９４に対するコンベアバーＢの全体直線部７４の高さは従来例と同じであるので、この部分では、確実な搬送がなされる。
【００２３】
実施例２では、コンベアバーＡを曲げ加工により実現可能であるため、コストを安く製造することが可能となる。
【実施例３】
【００２４】
図４は、実施例３のコンベアバーＡを示す図である。実施例３も図５〜１０の従来例とは、コンベアバーＡが異なる。実施例３のコンベアバーＡは、両端に取付部７１を有し、そして、ガイド４０と反対側の取付部７１の近傍の内側には段部７２を、ガイド４０側の取付部７１の近傍の内側には小さい段部である傾斜側段部１０４を有している。そして、傾斜側段部１０４の内側は内側（ガイドされる側）に向かって下る方向に傾斜する傾斜部１０１となっており、曲がり部１０２を介して片側直線部１０３に接続している。片側直線部１０３は、段部７２の内側に接合している。これにより、ガイド４０側には、傾斜部１０１が形成される構成となっている。傾斜部１０１の範囲は実施例１で説明した丸棒８１が接合される範囲と同様である。
【００２５】
コンベアバーＡの傾斜部１０１の上面部１０１ａと片側直線部１０３の上面部１０３ａは、コンベアバーＢの全体直線部７４の上面部７４ａより低くなっている。そして、傾斜部１０１の上面部１０１ａは、片側直線部１０３の上面部１０３ａに向けて下る方向に傾斜している。コンベアバーＡの片側直線部１０３の上面部１０３ａに対するコンベアバーＢの全体直線部７４の上面部７４ａの高さは従来例と同じである。
【００２６】
このため、傾斜部１０１の傾斜により、搬送物である収穫物２０１をよせやすくしている。このことにより、搬送物２０１の傷をつけにくくしている。コンベアバーＡの片側直線部１０３に対するコンベアバーＢの全体直線部７４の高さは従来例と同じであるので、この部分では確実な搬送がなされる。
【００２７】
実施例３でも、コンベアバーＡを曲げ加工により実現可能であるため、コストを安く製造することが可能となる。
【００２８】
以上、実施例では、従来例で示された自走式の収穫機をベースに述べたが、自走式だけでなく、他の走行体に装着されるタイプの収穫機であっても搬送コンベア２０とガイド４０を構成する収穫機であれば適用可能である。また、ガイド４０は片側だけのタイプを示したがこれに限るものではない。すなわち、ガイドによりガイドされる範囲にコンベアバーＡを一段高くする構成や、ガイドされる方向に向けて下る方向に傾斜する傾斜部を設けることにより本発明は実現可能となる。
【図面の簡単な説明】
【００２９】
【図１】実施例１のコンベアバーＡを示す図である。
【図２】実施例１のコンベアバーＡを設置した搬送コンベア部平面図である。
【図３】実施例２のコンベアバーＡを示す図である。
【図４】実施例３のコンベアバーＡを示す図である。
【図５】従来の収穫機の側面図である。
【図６】従来の収穫機の平面図である。
【図７】従来の収穫機の搬送コンベア部平面図である。
【図８】従来の収穫機の搬送コンベア部要部拡大側面図である。
【図９】従来の収穫機のコンベアバーＡを示す図である。
【図１０】従来の収穫機のコンベアバーＢを示す図である。
【符号の説明】
【００３０】
２０    搬送コンベア
４０    ガイド
７３    直線部
７４    全体直線部
８１    丸棒
９２    第一直線部
９３    中間段部
９４    第二直線部
１０１  傾斜部
１０３  片側直線部
２０１  収穫物
Ａ      コンベアバーＡ
Ｂ      コンベアバーＢ
【図１】
2010000062.tif 000003
【図２】
2010000062.tif 000004
【図３】
2010000062.tif 000005
【図４】
2010000062.tif 000006
【図５】
2010000062.tif 000007
【図６】
2010000062.tif 000008
【図７】
2010000062.tif 000009
【図８】
2010000062.tif 000010
【図９】
2010000062.tif 000011
【図１０】
2010000062.tif 000012